(57)【特許請求の範囲】
【請求項１】
顧客に販売する商品の品目と当該品目の販売価格とが対応付けられて記憶されている商
品情報記憶部と、
前記顧客のユーザ端末にネットワークを介して接続されるユーザ通信部と、
前記商品を販売する店舗における精算処理を行う精算処理端末にネットワークを介して
接続され、前記精算処理端末から売上情報が入力される店舗通信部と、
消費者により入力された入力情報に基づいて収集された前記商品の評判に関する情報と、前記精算処理端末に入力された売上情報とを、総合して分析する分析部と、
前記商品情報記憶部に記憶されている前記商品情報を読み出し、読み出した当該商品情報を、前記ユーザ通信部を介して前記ユーザ端末に送信し、当該ユーザ端末に前記商品情報に含まれる前記品目と前記販売価格とを表示させるウェブサービス部と、
前記分析部が分析した分析結果を送信して店舗に設置された端末に表示させると共に、前記商品情報記憶部に記憶されている前記商品情報を読み出し、読み出した当該商品情報を、前記店舗通信部を介して前記精算処理端末に送信し、送信した当該商品情報に含まれる販売価格に基づいて前記精算処理端末に精算処理を行わせる商品情報送信部と、
を備えることを特徴とする販売管理装置。
【請求項２】
前記ウェブサービス部は、前記商品情報記憶部に記憶されている情報を読み出して出力するＡＰＩを公開する
ことを特徴とする請求項１に記載の販売管理装置。
【請求項３】
顧客に販売する商品の品目と当該品目の販売価格とが対応付けられて記憶されている商品情報記憶部と、前記顧客のユーザ端末にネットワークを介して接続されるユーザ通信部と、前記商品を販売する店舗における精算処理を行う精算処理端末にネットワークを介して接続され、前記精算処理端末から売上情報が入力される店舗通信部と、を備えた販売管理装置の販売管理方法であって、
消費者により入力された入力情報に基づいて収集された前記商品の評判に関する情報と、前記精算処理端末に入力された売上情報とを、総合して分析させるステップと、
前記商品情報記憶部に記憶されている前記商品情報を読み出し、読み出した当該商品情
報を、前記ユーザ通信部を介して前記ユーザ端末に送信し、当該ユーザ端末に前記商品情
報に含まれる前記品目と前記販売価格とを表示させるステップと、
前記分析部が分析した分析結果を送信して店舗に設置された端末に表示させると共に、前記商品情報記憶部に記憶されている前記商品情報を読み出し、読み出した当該商品情報を、前記店舗通信部を介して前記精算処理端末に送信し、送信した当該商品情報に含まれる販売価格に基づいて前記精算処理端末に精算処理を行わせるステップと、
を備えることを特徴とする販売管理方法。
【請求項４】
顧客に販売する商品の品目と当該品目の販売価格とが対応付けられて記憶されている商品情報記憶部と、前記顧客のユーザ端末にネットワークを介して接続されるユーザ通信部と、前記商品を販売する店舗における精算処理を行う精算処理端末にネットワークを介して接続され、前記精算処理端末から売上情報が入力される店舗通信部と、を備えた販売管理装置のコンピュータに、
消費者により入力された入力情報に基づいて収集された前記商品の評判に関する情報と、前記精算処理端末に入力された売上情報とを、総合して分析させるステップと、
前記商品情報記憶部に記憶されている前記商品情報を読み出し、読み出した当該商品情報を、前記ユーザ通信部を介して前記ユーザ端末に送信し、当該ユーザ端末に前記商品情報に含まれる前記品目と前記販売価格とを表示させるステップと、
前記分析部が分析した分析結果を送信して店舗に設置された端末に表示させると共に、前記商品情報記憶部に記憶されている前記商品情報を読み出し、読み出した当該商品情報を、前記店舗通信部を介して前記精算処理端末に送信し、送信した当該商品情報に含まれる販売価格に基づいて前記精算処理端末に精算処理を行わせるステップと、
を実行させる販売管理プログラム。
【発明の詳細な説明】
【技術分野】
【０００１】
本発明は、商品の販売を管理する技術に関する。
【背景技術】
【０００２】
チェーンストアやフランチャイズ等の形態により複数の店舗において販売する商品等の管理を行うＰＯＳ（Point of sale）システムがある。このようなＰＯＳシステムでは、複数店舗のキャッシュレジスタ（ＰＯＳレジスタ、以下、レジともいう）にネットワークを介して接続された販売管理サーバにより、複数店舗の商品や売上等の情報を一元的に管理する。販売管理サーバには、販売される商品等の品目や販売価格等が対応付けられて記憶されており、ネットワークを介してレジに送信され、レジの記憶領域に記憶される。店舗において顧客が商品を購入する場合、例えば店舗における販売員はレジを操作し、購入する商品を識別するバーコード等の識別情報を入力する。レジは、入力された識別情報に対応する品目の販売価格を記憶領域から読み出し、読み出した販売価格に基づいて決済を行なう。特許文献１には、このようなＰＯＳシステムが記載されている。
一方、情報通信技術の発達により、インターネット等のネットワークを介して、店舗において販売する商品等の情報が記憶されたウェブサーバから、これらの情報を携帯電話端末やＰＣ（Personal Computer）等のユーザ端末に送信するサービスが提供されている。例えば、飲食店の情報が記憶されたウェブサーバが提供するウェブサイトでは、地域や料理等の条件の入力を受け付けて、入力された条件に応じた飲食店の情報をユーザ端末に送信する。この際、ユーザ端末に送信する情報にはクーポン券等の情報が含まれることもある。これにより、ユーザは、希望する条件に応じた飲食店等を効率良く発見し、店舗に来店することができる。
【先行技術文献】
【特許文献】
【０００３】
【特許文献１】特開２００１−１０１２６８号公報
【発明の概要】
【発明が解決しようとする課題】
【０００４】
しかしながら、このようにインターネットを介して商品情報を提供するウェブサーバは、ＰＯＳシステムにおける販売管理サーバとは独立して構築される。このため、店舗において販売する商品等の品目や販売価格に変更がある場合には、ウェブサーバに記憶された商品情報と販売管理サーバに記憶された商品情報との双方を更新する作業を行わなければならず、面倒であった。また、ウェブサーバと販売管理サーバとのいずれかのみに情報を更新する作業を行っており、ウェブサーバに記憶されている品目や販売価格の情報と、販売管理サーバに記憶されている品目や販売価格の情報とが異なることとなる場合があった。このような場合、ウェブサーバから送信された商品情報を確認してから顧客が来店すると、予め確認した販売価格とは異なる販売価格で商品が販売されていたり、販売されている品目が異なっていたりすることになり、ユーザの期待に沿った情報を提供できていないことがあった。そこで、ＰＯＳシステムのようなネットワークと、インターネット等のネットワークとの双方において、整合性のとれた商品情報に基づく販売管理が行われることが望ましい。
【０００５】
本発明は、このような状況に鑑みてなされたもので、ＰＯＳシステムのようなネットワークと、インターネット等のネットワークとの双方において、整合性のとれた商品情報に基づく販売管理を効率良く行う販売管理装置、販売管理方法、販売管理プログラムを提供する。
【課題を解決するための手段】
【０００６】
上述した課題を解決するために、本発明は、顧客に販売する商品の品目と品目の販売価格とが対応付けられて記憶されている商品情報記憶部と、顧客のユーザ端末にネットワークを介して接続されるユーザ通信部と、商品を販売する店舗における精算処理を行う精算処理端末にネットワークを介して接続され、精算処理端末から売上情報が入力される店舗通信部と、消費者により入力された入力情報に基づいて収集された商品の評判に関する情報と、精算処理端末に入力された売上情報とを、総合して分析する分析部と、商品情報記憶部に記憶されている商品情報を読み出し、読み出した商品情報を、ユーザ通信部を介してユーザ端末に送信し、ユーザ端末に商品情報に含まれる品目と販売価格とを表示させるウェブサービス部と、分析部が分析した分析結果を送信して店舗に設置された端末に表示させると共に、商品情報記憶部に記憶されている商品情報を読み出し、読み出した商品情報を、店舗通信部を介して精算処理端末に送信し、送信した商品情報に含まれる販売価格に基づいて精算処理端末に精算処理を行わせる商品情報送信部と、を備えることを特徴とする販売管理装置。
【０００７】
また、本発明は、ウェブサービス部は、商品情報記憶部に記憶されている情報を読み出して出力するＡＰＩを公開することを特徴とする。
【０００８】
また、本発明は、顧客に販売する商品の品目と品目の販売価格とが対応付けられて記憶されている商品情報記憶部と、顧客のユーザ端末にネットワークを介して接続されるユーザ通信部と、商品を販売する店舗における精算処理を行う精算処理端末にネットワークを介して接続され、精算処理端末から売上情報が入力される店舗通信部と、を備えた販売管理装置の販売管理方法であって、消費者により入力された入力情報に基づいて収集された商品の評判に関する情報と、精算処理端末に入力された売上情報とを、総合して分析させるステップと、商品情報記憶部に記憶されている商品情報を読み出し、読み出した商品情報を、ユーザ通信部を介してユーザ端末に送信し、ユーザ端末に商品情報に含まれる品目と販売価格とを表示させるステップと、分析部が分析した分析結果を送信して店舗に設置された端末に表示させると共に、商品情報記憶部に記憶されている商品情報を読み出し、読み出した商品情報を、店舗通信部を介して精算処理端末に送信し、送信した商品情報に含まれる販売価格に基づいて精算処理端末に精算処理を行わせるステップと、を備えることを特徴とする販売管理方法。
【０００９】
また、本発明は、顧客に販売する商品の品目と品目の販売価格とが対応付けられて記憶されている商品情報記憶部と、顧客のユーザ端末にネットワークを介して接続されるユーザ通信部と、商品を販売する店舗における精算処理を行う精算処理端末にネットワークを介して接続され、精算処理端末から売上情報が入力される店舗通信部と、を備えた販売管理装置のコンピュータに、消費者により入力された入力情報に基づいて収集された商品の評判に関する情報と、精算処理端末に入力された売上情報とを、総合して分析させるステップと、商品情報記憶部に記憶されている商品情報を読み出し、読み出した商品情報を、ユーザ通信部を介してユーザ端末に送信し、ユーザ端末に商品情報に含まれる品目と販売価格とを表示させるステップと、分析部が分析した分析結果を送信して店舗に設置された端末に表示させると共に、商品情報記憶部に記憶されている商品情報を読み出し、読み出した商品情報を、店舗通信部を介して精算処理端末に送信し、送信した商品情報に含まれる販売価格に基づいて精算処理端末に精算処理を行わせるステップと、を実行させる販売管理プログラム。
【発明の効果】
【００１０】
以上説明したように、本発明によれば、顧客に販売する商品の品目と品目の販売価格とが対応付けられて記憶されている商品情報記憶部と、顧客のユーザ端末にネットワークを介して接続されるユーザ通信部と、商品を販売する店舗における精算処理を行う精算処理端末にネットワークを介して接続される店舗通信部と、を備えた販売管理装置が、商品情報記憶部に記憶されている商品情報を読み出し、読み出した商品情報を、ユーザ通信部を介してユーザ端末に送信して商品情報に含まれる品目と販売価格とを表示させ、商品情報記憶部に記憶されている商品情報を読み出し、読み出した商品情報を、店舗通信部を介して精算処理端末に送信して、送信した商品情報に含まれる販売価格に基づいて精算処理端末に精算処理を行わせるようにしたので、ＰＯＳシステムのようなネットワークと、インターネット等のネットワークとの双方において、整合性のとれた商品情報に基づく販売管理を効率良く行うことが可能となる。
【図面の簡単な説明】
【００１１】
【図１】本発明の一実施形態による販売管理システムの構成例を示すブロック図である。
【図２】本発明の一実施形態によるＰＯＳ端末に表示される画面の例を示す図である。
【図３】本発明の一実施形態によるユーザ端末に表示される画面の例を示す図である。
【図４】本発明の一実施形態による加盟店情報記憶部に記憶される加盟店情報のデータ例を示す図である。
【図５】本発明の一実施形態による商品情報記憶部に記憶される商品情報のデータ例を示す図である。
【図６】本発明の一実施形態による売上情報記憶部に記憶される売上情報のデータ例を示す図である。
【図７】本発明の一実施形態による売上明細情報記憶部に記憶される売上明細情報のデータ例を示す図である。
【図８】本発明の一実施形態による決済情報記憶部に記憶される決済情報のデータ例を示す図である。
【図９】本発明の一実施形態による顧客情報記憶部に記憶される顧客情報のデータ例を示す図である。
【図１０】本発明の一実施形態による販売管理システムの動作例を示すシーケンスチャートである。
【図１１】本発明の一実施形態による販売管理システムの実施例を示す図である。
【図１２】本発明の一実施形態による販売管理システムの実施例を示す図である。
【発明を実施するための形態】
【００１２】
以下、本発明の一実施形態について、図面を参照して説明する。
図１は、本実施形態による販売管理システム１の構成を示すブロック図である。販売管理システム１は、店舗毎に設置されたＰＯＳ端末１００（ＰＯＳ端末１００−１、ＰＯＳ端末１００−２、・・・）および決済端末１１０（決済端末１１０−１、決済端末１１０−２、・・・）と、ユーザ端末２００と、販売管理装置３００と、クレジットネットワークシステム４００と、クレジットカード決済装置５００とを備えている。ここで、ＰＯＳ端末１００−１とＰＯＳ端末１００−２とが設置された店舗は、それぞれ異なる地域、業種、企業のものであっても良い。複数のＰＯＳ端末１００、複数の決済端末１１０は異なる店舗に設置された同様のコンピュータ端末であるため、特に区別しない場合には「−１」、「−２」等の表記を省略して説明する。
【００１３】
ＰＯＳ端末１００は、いわゆるＰＯＳシステムにおけるＰＯＳレジスタの機能を備えた精算処理端末であり、キャッシュレジスタである。ＰＯＳ端末１００は、情報を表示するディスプレイである表示部や、店舗における販売員等からの情報の入力を受け付けるキーボードである入力部等を備えている。ディスプレイはタッチパネルを適用して入力部を兼ねるようにしても良い。ＰＯＳ端末１００は、ネットワークを介して販売管理装置３００と通信して、店舗において販売する商品を示す商品情報等を受信し、自身の記憶領域に記憶させる。また、商品情報を画面に表示して精算処理を行い、売上情報を販売管理装置３００に送信する。図２は、ＰＯＳ端末１００に表示される画面の例を示す図である。図に示すように、ＰＯＳ端末１００の画面下部には、店舗において販売する商品を示すボタンが表示される。このボタンを押下するとその商品が選択されたことが入力される。画面上部には、選択された商品を示す情報が表示される。例えば画面右下の合計ボタンが押下されると、選択された商品の合計金額がＰＯＳ端末１００によって算出され、画面に表示される。また、ＰＯＳ端末１００は、支払が完了したことを示す情報が入力されると、販売された商品の情報が含まれる売上情報を、販売管理装置３００に送信する。
【００１４】
図１に戻り、決済端末１１０は、クレジット決済を行なう精算処理端末である。例えば、決済端末１１０は、磁気ストライプカードであるクレジットカードに記憶された情報を読み出すカードリーダの機能を備え、クレジットネットワークシステム４００を介してクレジットカード決済装置５００と通信を行うことによりクレジット決済の処理を行う。決済端末１１０は、クレジット決済が完了すると、クレジット決済が完了したことを示す決済情報を販売管理装置３００に送信する。
【００１５】
ユーザ端末２００は、顧客であるユーザのコンピュータ端末である。ユーザ端末２００は、例えばディスプレイ等の表示部やキーボード等の入力部を備えるＰＣ（Personal Computer）、タブレットＰＣ、携帯電話端末等が適用できる。ユーザ端末２００は、販売管理装置３００から送信される商品情報等を画面に表示し、表示した商品情報に応じてユーザに選択される商品情報の入力を受け付ける。図３は、ユーザ端末２００に表示される画面の例を示す図である。ユーザ端末２００の画面には、販売管理装置３００から送信される商品情報に含まれる商品の品目や販売価格等が表示される。
【００１６】
図１に戻り、販売管理装置３００は、ネットワークを介して複数のＰＯＳ端末１００、決済端末１１０、ユーザ端末２００に接続されたコンピュータ装置である。販売管理装置３００は、加盟店情報記憶部３０１と、商品情報記憶部３０２と、売上情報記憶部３０３と、売上明細情報記憶部３０４と、決済情報記憶部３０５と、顧客情報記憶部３０６と、店舗通信部３０７と、商品情報送信部３０８と、ユーザ通信部３０９と、ウェブサービス部３１０とを備えている。図に示すように、本実施形態の販売管理装置３００は、実店舗に設置されるＰＯＳ端末１００と、ＰＯＳ端末１００および決済端末１１０が設置された店舗に来店する顧客であるユーザのユーザ端末２００との双方に、商品情報記憶部３０２から読み出した同一の情報を送信することで、双方に整合性のとれた情報を提供する。
【００１７】
加盟店情報記憶部３０１には、販売管理システム１により情報を管理する複数地域における複数業種の複数店舗毎の情報が記憶されている。図４は、加盟店情報記憶部２０１に記憶される加盟店情報のデータ例を示す図である。加盟店情報には、店舗ＩＤ（Identifier）と、店舗名と、業種（大分類）と、業種（中分類）と、住所と、地域と、責任者名と、電話番号との情報が対応付けられる。店舗ＩＤは、ネットワークを介して接続されたＰＯＳ端末１００が設置された店舗を識別する情報である。店舗名は、対応する店舗ＩＤにより識別される店舗の名称を示す。業種（大分類）と業種（中分類）とは、対応する店舗の業種の分類を示す。業種（大分類）としては、例えば飲食業界、小売業界などの業種が対応付けられ、業種（中分類）としては、例えば飲食業界であれば中華、喫茶店等の業種が対応付けられる。このように、異なる業種の情報を段階的な分類に分けて同一のフォーマットにより記憶することで、異なる業種の情報を横断的に分析することが可能となる。住所は、対応する店舗の住所を示す。地域は、対応する店舗の住所の地域を示し、例えば、市や区等の単位に予め区分された地域の名称が対応付けられる。責任者名は、対応する店舗の責任者の氏名を示す。電話番号は、対応する店舗の電話番号を示す。
【００１８】
商品情報記憶部３０２には、顧客に販売する商品の品目とその品目の販売価格とが対応付けられて記憶されている。図５は、商品情報記憶部３０２に記憶される商品情報のデータ例を示す図である。商品情報には、店舗ＩＤと、商品コードと、大分類と、中分類と、小分類（品目）と、商品名と、値段との情報が対応付けられる。店舗ＩＤは、加盟店情報記憶部３０１に記憶された店舗ＩＤに対応する情報である。商品コードは、対応する商品を識別する情報である。大分類、中分類、小分類（品目）は、対応する商品の分類を示す。例えば、大分類が飲食である場合、中分類としてラーメン、餃子等の情報が対応付けられ、中分類がラーメンである場合、小分類（品目）として塩ラーメン、味噌ラーメン等の情報が対応付けられる。このように、異なる業種の商品の情報を段階的な分類に分けて同一のフォーマットにより記憶することで、異なる業種の情報を横断的に分析することが可能となる。商品名は、対応する商品の名称である。値段は、対応する商品が販売される際の販売価格である。
【００１９】
売上情報記憶部３０３には、顧客に対して商品を販売した売上を示す売上情報が記憶される。図６は、売上情報記憶部３０３に記憶される売上情報のデータ例を示す図である。売上情報には、店舗ＩＤと、伝票番号と、取引種別と、支払種別と、売上金額と、年齢層と、性別と、販売員と、承認番号と、顧客ＩＤと、日時との情報が対応付けられる。店舗ＩＤは、加盟店情報記憶部３０１に記憶された店舗ＩＤに対応する情報である。伝票番号は、店舗において顧客との取引が行われる毎に生成される伝票を識別する情報である。取引種別は、対応する取引の内容の種別を示す。支払種別は、対応する取引における支払の種別を示す。売上金額は、対応する取引において支払われた金額を示す。年齢層は、対応する取引を行った顧客の年齢層を示す。性別は、対応する取引を行った顧客の性別を示す。年齢層および性別は、例えば店舗においてＰＯＳ端末１００を操作する従業員により入力される。販売員は、店舗において販売を行った従業員の氏名を示す。承認番号は、支払種別がクレジットである場合にクレジットカード会社によって承認されたことを識別する情報であり、クレジットカード会社によって付与される。顧客ＩＤは、顧客情報記憶部３０６に記憶されている顧客情報に対応する顧客によって対応する取引が行われた場合に、その顧客を識別する顧客ＩＤが対応付けられる。日時は、対応する取引が行われた日時を示す。日時は、例えばＹＹＹＹＭＭＤＤＨＨＭＭＳＳ形式により年月日と時間とを示す。
【００２０】
売上明細情報記憶部３０４には、売上情報記憶部３０３に記憶された取引毎の明細が記憶される。図７は、売上明細情報記憶部３０４に記憶される売上明細情報のデータ例を示す図である。売上明細情報には、伝票番号と、商品コードと、商品名と、単価と、税種別と、個数と、金額とが対応付けられる。伝票番号は、売上情報記憶部３０３に記憶された伝票番号に対応する情報である。商品コードは、商品情報記憶部３０２に記憶された商品コードに対応する情報であり、取引された商品を識別する。商品名は、商品コードに対応する商品名である。単価は、対応する商品の値段である。税種別は、対応する取引の税の種別を示す。個数は、対応する商品が取引された個数を示す。金額は、対応する単価に税種別と個数とを考慮した金額を示す。
【００２１】
決済情報記憶部３０５には、クレジットカードにより決済が行なわれた場合の決済情報が記憶される。図８は、決済情報記憶部３０５に記憶される決済情報のデータ例を示す図である。決済情報には、伝票番号と、カード番号と、売上金額と、支払種別と、承認番号と、端末機識別番号との情報が対応付けられる。伝票番号は、売上情報記憶部３０３に記憶された伝票番号に対応する情報である。カード番号は、決済に使用されたクレジットカードを識別する情報である。売上金額は、対応するクレジットカードにより決済された金額を示す。支払種別は、対応する支払の種別を示す。承認番号は、クレジットカード会社によって承認されたことを識別する情報である。端末機識別番号は、クレジット決済を行なった決済端末１１０を識別する情報である。
【００２２】
顧客情報記憶部３０６には、ＰＯＳ端末１００が設置された店舗の顧客に関する顧客情報が記憶される。顧客情報は、例えば顧客が店舗に来店した際に、販売員が顧客から聞いた情報を入力して登録したり、顧客がユーザ端末２００を操作して入力した顧客情報が販売管理装置３００に送信されて顧客情報記憶部３０６に登録したりすることができる。図９は、顧客情報記憶部３０６に記憶される顧客情報のデータ例を示す図である。顧客情報には、顧客ＩＤと、氏名と、住所と、年齢と、性別と、ポイントとの情報が対応付けられる。顧客ＩＤは、ユーザ端末２００のユーザを識別する情報である。氏名は、顧客ＩＤにより識別される顧客の氏名である。住所は、対応する顧客の住所である。年齢は、対応する顧客の年齢である。性別は、対応する顧客の性別である。ポイントは、例えば購入金額に対する一定割合のポイントを付与するサービスなどを行っている場合に、対応するユーザに付与されたポイントの残高を示す情報である。
【００２３】
図１に戻り、店舗通信部３０７は、商品を販売する店舗における精算処理を行うＰＯＳ端末１００にネットワークを介して接続される。
商品情報送信部３０８は、商品情報記憶部３０２に記憶されている商品情報を読み出し、読み出した商品情報を、店舗通信部３０７を介してＰＯＳ端末１００に送信し、送信した商品情報に含まれる販売価格に基づいてＰＯＳ端末１００に精算処理を行わせる。
【００２４】
ユーザ通信部３０９は、顧客のユーザ端末２００にネットワークを介して接続される。
ウェブサービス部３１０は、商品情報記憶部３０２に記憶されている商品情報を読み出し、読み出した商品情報を、ユーザ通信部３０９を介してユーザ端末２００に送信し、ユーザ端末２００に、商品情報に含まれる品目と販売価格とを表示させる。ここで、ウェブサービス部３１０はウェブサーバの機能を備えており、ＨＴＭＬ（HyperText Markup Language）形式の商品情報をユーザ端末２００に送信する。また、ウェブサービス部３１０は、地域や業種等の条件の入力を受け付けて、入力された条件情報に応じた商品情報を商品情報記憶部３０２に記憶されている商品情報から検索して読み出し、読み出した検索情報をユーザ端末２００に送信することができる。
【００２５】
このように、本実施形態では、ユーザ端末２００に送信する商品情報と、ＰＯＳ端末１００が決済を行なう際の商品情報とに、同一の商品情報記憶部３０２から読み出された情報を用いるようにしたので、ＰＯＳシステムのようなネットワークと、インターネット等のネットワークとの双方において、整合性のとれた商品情報に基づく販売管理を効率良く行うことができる。ここで、店舗通信部３０７および決済端末１１０とＰＯＳ端末１００との間の通信、並びにユーザ通信部３０９とユーザ端末２００との間の通信のインタフェースを、ＨＴＴＰＳ（Hypertext Transfer Protocol over Secure Socket Layer）にそろえるようにすることができる。
【００２６】
クレジットネットワークシステム４００は、決済端末１１０および販売管理装置３００と、クレジットカード会社のクレジットカード決済装置５００とをオンライン回線で接続し、クレジットカードの正当性の検証や利用限度額などの有効性を判定するコンピュータシステムである。
クレジットカード決済装置５００は、ユーザによる料金支払をクレジットカードにより決済する処理を行うコンピュータ装置である。ここでは、１台のクレジットカード決済装置５００を図示して説明するが、販売管理システム１は、クレジットカードを発行してクレジットカードサービスを運営する複数のクレジットカード会社に設置されたクレジットカード決済装置５００に接続されるようにして良い。
【００２７】
次に、図１０を参照して、本実施形態による販売管理システム１の動作例を説明する。
販売管理装置３００は、店舗の経営者等から入力される商品情報の入力を受付け、商品情報記憶部３０２に記憶させる。販売管理装置３００は、商品情報記憶部３０２に記憶されている商品情報を、その商品情報に対応する店舗のＰＯＳ端末１００に送信する（ステップＳ１）。ＰＯＳ端末１００は、販売管理装置３００から送信された商品情報を自身の記憶領域に記憶させる（ステップＳ２）。
【００２８】
一方、ユーザ端末２００は、ユーザから入力される操作要求に応じて、販売管理装置３００にアクセスし、販売管理装置３００から送信される商品情報を受信する。例えば、ユーザが飲食店の検索をしたい場合、飲食店の地域や業種などの条件情報をユーザ端末２００に入力する。ユーザ端末２００は、入力された条件情報を販売管理装置３００に送信する（ステップＳ３）。販売管理装置３００は、ユーザ端末２００から送信された条件情報に応じた加盟店情報と商品情報とを、加盟店情報記憶部３０１と商品情報記憶部３０２とから検索して読み出す（ステップＳ４）。販売管理装置３００は、読み出した加盟店情報と商品情報とをユーザ端末２００に送信する（ステップＳ５）。
【００２９】
ユーザ端末２００は、販売管理装置３００から送信される加盟店情報と商品情報とを受信すると、自身の表示部に表示させる。ここでユーザ端末２００に表示される商品情報には、店舗毎に販売される商品の商品名、販売価格などが含まれる。ユーザは、このようにユーザ端末２００に表示される商品名や価格などを参考にして、希望する飲食店を効率良く選択することができる。そして、ユーザが、ユーザ端末２００に表示された商品情報に基づいて選択した飲食店に来店し、商品等を購入する際、ＰＯＳ端末１００は、ステップＳ２においてＰＯＳ端末１００の記憶領域に記憶した商品情報に基づいて精算処理を行う（ステップＳ６）。ここで、ＰＯＳ端末１００の記憶領域に記憶している商品情報と、ユーザ端末２００が販売管理装置３００から受信して表示した商品情報とは、いずれも販売管理装置３００の商品情報記憶部３０２から読み出された情報であるから、両者の整合性がとれている。このため、ユーザや販売員は、混乱することなく商品等の取引を行うことができる。
【００３０】
図１１は、このような販売管理システム１の実施例を示す図である。例えば、決済アプリ（ＡＰ）、決済用ライブラリ等が記憶され、店舗毎に設置されたさまざまな精算処理端末（ＰＯＳ端末）１００と、ユーザのユーザ端末２００と、クラウドコンピューティング基盤上に構成された販売管理装置３００とを、インタ−ネットを介して接続するこのようにすれば、広告サイト等を提供するウェブサーバとＰＯＳシステムの販売管理サーバとを同じクラウド基盤上で構築できる。すなわち、サービス提供者としては、広告サイト向けＩａａＳ（Infrastructure as a Service）／ＰａａＳ（Platform as a Service）を同時に提供でき、ＰＯＳシステムも同一のプラットフォーム上で提供できるため、メリットが大きい。ここでは、図１２に示すように、クラウド上に構築した販売管理装置３００が、商品情報記憶部３０２に記憶されている商品情報を読み出して出力するＡＰＩ（Application Programming Interface）を公開して提供するようにしても良い。これにより、企業によっては自身のハードウェアコンピュータ上に構築したウェブサーバからＡＰＩ経由で読み出した商品情報を、ユーザ端末２００に送信するようにしても良い。
【００３１】
このようにすれば、インターネットに接続するＰＯＳシステムを提供し、広告サイトも同一の商品情報を使用して連動して動作することで、販売価格や品目等の更新における作業を軽減することができる。さらに、広告サイトがクチコミ情報の登録などのコミュニティ機能を備える場合、ＰＯＳシステムにおける売上情報とクチコミ情報とを一元的に管理できるようになるため、売上の動向とユーザのクチコミ情報とを総合して情報の分析を行うことができる。
あるいは、広告サイトから得られたクチコミ情報を、店舗内のＰＯＳシステムと連携させ、店舗内に設置したコンピュータ端末に、クチコミ情報に基づくおすすめ商品や売上ランキングなどの情報を表示させることもできる。ここで、店舗内のコンピュータ端末とは、例えば、書店における本検索端末、飲食店においてテーブルに備えられる注文入力端末等が適用できる。
【００３２】
なお、本発明における処理部の機能を実現するためのプログラムをコンピュータ読み取り可能な記録媒体に記録して、この記録媒体に記録されたプログラムをコンピュータシステムに読み込ませ、実行することにより販売管理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３４】
１  販売管理システム
１００  ＰＯＳ端末
１１０  決済端末
２００  ユーザ端末
３００  販売管理装置
３０１  加盟店情報記憶部
３０２  商品情報記憶部
３０３  売上情報記憶部
３０４  売上明細情報記憶部
３０５  決済情報記憶部
３０６  顧客情報記憶部
３０７  店舗通信部
３０８  商品情報送信部
３０９  ユーザ通信部
３１０  ウェブサービス部
４００  クレジットネットワークシステム
５００  クレジットカード決済装置
【図１】
0005622652.tif 000002
【図２】
0005622652.tif 000003
【図３】
0005622652.tif 000004
【図４】
0005622652.tif 000005
【図５】
0005622652.tif 000006
【図６】
0005622652.tif 000007
【図７】
0005622652.tif 000008
【図８】
0005622652.tif 000009
【図９】
0005622652.tif 000010
【図１０】
0005622652.tif 000011
【図１１】
0005622652.tif 000012
【図１２】
0005622652.tif 000013